(57)【要約】【課題】製造コストの低減および軽量化を図りうる熱交換器を提供する。【解決手段】熱交換器の全熱交換管４は、互いに対向する１対の平坦壁13,14、および両平坦壁13,14の両側縁どうしにまたがって設けられた２つの側壁15,16を有する。熱交換管４を、少なくとも片面にろう材層を有するブレージングシートを、ろう材層が外側に来るように曲げることにより形成する。熱交換管４の第２平坦壁14の外面の一側縁部に、長さ方向にのびる継ぎ目部24が存在している。すべての熱交換管４の継ぎ目部24を通風方向の同一側に位置させる。熱交換管４の継ぎ目部をろう材により塞ぐ。熱交換管４の外面における継ぎ目部24が存在する側縁部側のフラックス残渣の量を、他側縁部側のフラックス残渣の量よりも多くする。【選択図】図４
2009162394.tif 000002
【特許請求の範囲】
【請求項１】
外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、隣り合う熱交換管どうしの間に配置されて熱交換管にろう付されたコルゲートフィンとを備えており、熱交換管が、互いに対向する１対の平坦壁、および両平坦壁の両側縁どうしにまたがって設けられた２つの側壁を有しているとともに、少なくとも片面にろう材層を有するブレージングシートを、ろう材層が外側に来るように曲げることにより形成され、熱交換管のいずれか一方の平坦壁の外面の一側縁部に、長さ方向にのびる継ぎ目部が存在している熱交換器であって、すべての熱交換管の継ぎ目部が、通風方向の同一側に位置している熱交換器。
【請求項２】
継ぎ目部がろう材により塞がれている請求項１記載の熱交換器。
【請求項３】
熱交換管の外面における継ぎ目部が存在する側縁部側のろう材の量が、他側縁部側のろう材の量よりも多くなっている請求項１または２記載の熱交換器。
【請求項４】
熱交換管の外面における継ぎ目部が存在する側縁部側のフラックス残渣の量が、他側縁部側のフラックス残渣の量よりも多くなっている請求項１〜３のうちのいずれかに記載の熱交換器。
【請求項５】
外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、隣り合う熱交換管どうしの間に配置されて熱交換管にろう付されたコルゲートフィンとを備えており、熱交換管が、互いに対向する１対の平坦壁、および両平坦壁の両側縁どうしにまたがって設けられた２つの側壁を有しているとともに、少なくとも片面にろう材層を有するブレージングシートを、ろう材層が外側に来るように曲げることにより形成され、熱交換管のいずれか一方の平坦壁の外面の一側縁部に、長さ方向にのびる継ぎ目部が存在しており、熱交換管の第１側壁が両平坦壁と一体に形成され、熱交換管の第２側壁が、各平坦壁における第１側壁とは反対側の縁部に、他方の平坦壁側に突出するように一体に形成されるとともに先端部どうしがろう付された第１および第２側壁形成部と、いずれか一方の平坦壁における第１および第２側壁形成部よりも熱交換管の幅方向外側部分に一体に形成され、かつ第１および第２側壁形成部の外面にろう付されるとともに、先端部が他方の平坦壁外面の側縁部にろう付された第３側壁形成部とよりなる熱交換器を製造する方法であって、
少なくとも片面にろう材層を有するブレージングシートよりなり、２つの平坦壁形成部と、両平坦壁形成部を一体に連結しかつ第１側壁を形成する連結部と、両平坦壁形成部における連結部とは反対側の側縁に、それぞれ平坦壁形成部から隆起するように設けられた第１および第２側壁形成部と、第１平坦壁形成部における連結部とは反対側の側縁を延長することにより設けられた第３側壁形成部用延長部とを備えている熱交換管製造用板状体を、連結部の両側においてヘアピン状に折り曲げて第１および第２側壁形成部の先端部どうしを突き合わせること、
第３側壁形成部用延長部を、第１および第２側壁形成部の外面を覆うように折り曲げて第３側壁形成部をつくるとともに、第３側壁形成部の先端部を第２平坦壁形成部外面の側縁部に係合させて折り曲げ体を作ること、
折り曲げ体とフィンとを交互に配置すること、
外面にろう材層を有する材料からなり、かつ複数の管挿入穴を有する１対のヘッダタンク素材を用意し、両ヘッダタンク素材を間隔をおいて配置すること、
全折り曲げ体の両端部をヘッダタンク素材の管挿入穴に、第１〜第３側壁形成部が同じ側に来るように挿入し、ヘッダタンク素材、折り曲げ体およびフィンを仮止めして仮止め体をつくるとともに、仮止め体にフラックスを塗布すること、
折り曲げ体の幅方向が上下方向を向くとともに、折り曲げ体の第１〜第３側壁形成部が下側に来るように仮止め体を寝かせて配置し、この状態で折り曲げ体における第１側壁形成部と第２側壁形成部、第１および第２側壁形成部と第３側壁形成部、ならびに第３側壁形成部と第１平坦壁形成部とを同時にろう付することにより熱交換管を形成し、ヘッダタンク素材によりヘッダタンクを形成し、さらにヘッダタンクと熱交換管、熱交換管とフィンとを同時にろう付することを含む熱交換器の製造方法。
【発明の詳細な説明】
【技術分野】
【０００１】
この発明は、熱交換器に関し、さらに詳しくは、たとえばカーエアコンのコンデンサやエバポレータやヒータコア、自動車用オイルクーラ、自動車用ラジエータなどとして使用される熱交換器およびその製造方法に関する。
【０００２】
この明細書において、「アルミニウム」という用語には、純アルミニウムの他にアルミニウム合金を含むものとする。
【背景技術】
【０００３】
たとえば車両のカーエアコンのコンデンサに使用される熱交換器として、外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、隣り合う熱交換管どうしの間に配置されて熱交換管にろう付されたコルゲートフィンとを備えたものが広く用いられている。
【０００４】
上記熱交換器の熱交換管は、熱交換効率が優れていることはもちろんのこと、その内部に高圧ガス冷媒が導入されるため耐圧性が要求される。しかも、コンデンサのコンパクト化を図るため熱交換管の管壁が薄肉でかつ管高さが低いことが要求される。
【０００５】
上述したコンデンサに用いられる熱交換効率に優れた熱交換管として、たとえば特許文献１に記載されたものが用いられていた。特許文献１に記載された熱交換管は、互いに対向する１対の平坦壁と、両平坦壁の両側縁どうしにまたがって設けられた２つの側壁と、両側壁間において両平坦壁にまたがるとともに長さ方向に伸びかつ相互に所定間隔をおいて設けられた複数の補強壁とを備えているとともに、内部に複数の並列状流体通路を有しており、第１の側壁が両平坦壁と一体に形成され、第２の側壁が、各平坦壁の側縁に一体成形されて他の平坦壁側に突出し、かつ先端どうしが当接させられてろう付された２つの側壁形成部により形成されている。
【０００６】
このような熱交換管は、全体が１枚の金属板よりなり、両平坦壁を形成する同幅の２つの平坦壁形成部、平坦壁形成部どうしを連結しかつ第１側壁を形成する連結部、両平坦壁形成部における連結部とは反対側の側縁にそれぞれ隆起状に一体成形されかつ第２側壁を形成する側壁形成部、および両平坦壁形成部にそれぞれ隆起状に一体成形された補強壁形成部を有する熱交換管製造用板状体を、連結部においてヘアピン状に曲げ、両側壁形成部の先端どうしを突き合わせて相互にろう付するとともに、一方の平坦壁形成部に形成された補強壁形成部の先端と他方の平坦壁形成部に形成された補強壁形成部の先端とを突き合わせて相互にろう付することにより製造されている。そして、２つの側壁形成部どうしを突き合わせて相互にろう付することにより形成された第２側壁の肉厚は、連結部からなる第１側壁の肉厚よりも薄くなっている。
【０００７】
しかしながら、特許文献１記載の熱交換管を上述したようなコンデンサに使用した場合、飛来した石等が２つの側壁形成部からなる第２側壁に当たると、その衝撃により第２側壁が破損するおそれがある。
【０００８】
そこで、このような問題を解決するために、本出願人は、先に、互いに対向する１対の平坦壁と、両平坦壁の両側縁どうしにまたがって設けられた２つの側壁とを備えており、第１の側壁が両平坦壁と一体に形成され、第２の側壁が両平坦壁の側縁に一体成形された複数の側壁形成部を組み合わせることにより形成されており、第２側壁が、第１平坦壁の側縁部に形成されて第２平坦壁側に突出し、かつ先端が第２側壁の高さの中間部に位置する第１側壁形成部と、第２平坦壁の側縁部に形成されて第１平坦壁側に突出し、かつ先端が第２側壁の高さの中間部に位置するとともに第１側壁形成部の先端に突き合わされた第２側壁形成部と、第２平坦壁における第２側壁形成部の熱交換管の幅方向外側部分に形成されて第１平坦壁側に突出し、かつ先端が第１平坦壁の外面の側縁部に係合した第３側壁形成部とよりなり、第１および第２側壁形成部の先端部どうし、第１および第２側壁形成部の外面と第３側壁形成部、ならびに第３側壁形成部と第１平坦壁の側縁部とがろう付されている熱交換管を提案した（特許文献２参照）。
【０００９】
特許文献２記載の熱交換管は、全体が１枚の金属板よりなり、２つの平坦壁形成部と、両平坦壁形成部を一体に連結しかつ第１側壁を形成する連結部と、両平坦壁形成部における連結部とは反対側の側縁に、それぞれ平坦壁形成部から隆起するように設けられた第１および第２側壁形成部と、第１平坦壁形成部における連結部とは反対側の側縁を延長することにより設けられた第３側壁形成部用延長部とを備えている熱交換管製造用板状体を、連結部の両側においてヘアピン状に折り曲げて第１および第２側壁形成部の先端部どうしを突き合わせること、第３側壁形成部用延長部を、第１および第２側壁形成部の外面を覆うように折り曲げて第３側壁形成部をつくるとともに、第３側壁形成部の先端部を第１平坦壁形成部外面の側縁部に係合させて折り曲げ体を作ること、ならびに折り曲げ体の第１側壁形成部と第２側壁形成部、第１および第２側壁形成部と第３側壁形成部、ならびに第３側壁形成部と第１平坦壁形成部とを同時にろう付することにより製造される。そして、製造された熱交換管においては、第１平坦壁形成部からなる第１平坦壁と第２側壁における第３側壁形成部の先端部との間に、ろう付部からなりかつ長さ方向にのびる継ぎ目部が存在することになる。
【００１０】
特許文献２記載の熱交換管を備えた熱交換器は、当該熱交換管を製造するのに用いられる上述した折り曲げ体とフィンとを交互に配置すること、外面にろう材層を有する材料により複数の管挿入穴を有する１対のヘッダタンク素材を用意し、両ヘッダタンク素材を間隔をおいて配置すること、全折り曲げ体の両端部をヘッダタンク素材の管挿入穴に挿入し、ヘッダタンク素材、折り曲げ体およびフィンを仮止めして仮止め体をつくるとともに、仮止め体にフラックスを塗布すること、折り曲げ体の幅方向が上下方向を向くように仮止め体を寝かせて配置し、この状態で折り曲げ体における第１側壁形成部と第２側壁形成部、第１および第２側壁形成部と第３側壁形成部、ならびに第３側壁形成部と第１平坦壁形成部とを同時にろう付することにより熱交換管を形成し、ヘッダタンク素材によりヘッダタンクを形成し、さらにヘッダタンクと熱交換管、熱交換管とフィンとを同時にろう付することを含む方法により製造される。
【００１１】
しかしながら、上述した熱交換器の製造方法において、上記折り曲げ体の向きは特に決められていないので、向きの異なった折り曲げ体が混じり合うことになり、その結果仮止め体を寝かせて配置した際に、第１〜第３側壁形成部が上側に来ている折り曲げ体が存在していることもある。この場合、次のような問題が生じるおそれがある。すなわち、特許文献２の熱交換管を製造するための上述した折り曲げ体においては、第３側壁形成部の先端部と第１平坦壁形成部の外面との間に、折り曲げ体の長さ方向にのびる合わせ目が存在することになる。この合わせ目は極浅い凹溝状となることがある。したがって、第１〜第３側壁形成部が上側に来ていると、上記合わせ目も上側に存在することになり、熱交換器を製造する際に、ヘッダタンク素材から溶け出した溶融ろう材が、毛細管現象により、上記合わせ目に沿って流れるとともに、折り曲げ体とコルゲートフィンとの接触部に沿って流れる。その結果、ヘッダタンク素材の外面を覆うろう材量を多くしておかなければならず、材料コストが高くなり、ひいては熱交換器の製造コストが高くなるとともに、熱交換器の重量が増大するという問題がある。
【特許文献１】特開平６−２８１３７３号公報
【特許文献２】特開２００６−７８１６３号公報
【発明の開示】
【発明が解決しようとする課題】
【００１２】
この発明の目的は、上記問題を解決し、製造コストの低減および軽量化を図りうる熱交換器およびその製造方法を提供することにある。
【課題を解決するための手段】
【００１３】
本発明は、上記目的を達成するために以下の態様からなる。
【００１４】
1)外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、隣り合う熱交換管どうしの間に配置されて熱交換管にろう付されたコルゲートフィンとを備えており、熱交換管が、互いに対向する１対の平坦壁、および両平坦壁の両側縁どうしにまたがって設けられた２つの側壁を有しているとともに、少なくとも片面にろう材層を有するブレージングシートを、ろう材層が外側に来るように曲げることにより形成され、熱交換管のいずれか一方の平坦壁の外面の一側縁部に、長さ方向にのびる継ぎ目部が存在している熱交換器であって、すべての熱交換管の継ぎ目部が、通風方向の同一側に位置している熱交換器。
【００１５】
2)継ぎ目部がろう材により塞がれている上記1)記載の熱交換器。
【００１６】
3)熱交換管の外面における継ぎ目部が存在する側縁部側のろう材の量が、他側縁部側のろう材の量よりも多くなっている上記1)または2)記載の熱交換器。
【００１７】
4)熱交換管の外面における継ぎ目部が存在する側縁部側のフラックス残渣の量が、他側縁部側のフラックス残渣の量よりも多くなっている上記1)〜3)のうちのいずれかに記載の熱交換器。
【００１８】
なお、上記4)の熱交換器において、熱交換管の外面における継ぎ目部が存在する側縁部側のフラックス残渣の量が、他側縁部側のフラックス残渣の量よりも３ｇ／ｍ２以上多くなっていることがある。
【００１９】
また、上記1)〜4)の熱交換器において、熱交換管の第１の側壁が両平坦壁と一体に形成され、同じく第２の側壁が両平坦壁の側縁部に一体成形された複数の側壁形成部を組み合わせることにより形成され、２つの平坦壁形成部と、両平坦壁形成部を一体に連結しかつ第１側壁を形成する連結部と、両平坦壁形成部における連結部とは反対側の側縁部に設けられた側壁形成部とを備えている熱交換管製造用板状体を、連結部においてヘアピン状に折り曲げ、さらにすべての側壁形成部を組み合わせてかしめることにより折り曲げ体を得た後、複数の側壁形成部をろう付することにより熱交換管がつくられており、熱交換管の第２側壁を形成する複数の側壁形成部のうちのいずれか１つの側壁形成部と、いずれか一方の平坦壁形成部とのろう付部に継ぎ目部が存在していることがある。当該熱交換器の場合、熱交換管の第２側壁が、各平坦壁における第１側壁とは反対側の縁部に、他方の平坦壁側に突出するように一体に形成されるとともに先端部どうしがろう付された第１および第２側壁形成部と、いずれか一方の平坦壁における第１および第２側壁形成部よりも熱交換管の幅方向外側部分に一体に形成され、かつ第１および第２側壁形成部の外面にろう付されるとともに、先端部が他方の平坦壁外面の側縁部における熱交換管の幅方向外側に向かって前記一方の平坦壁側に傾斜した傾斜面にろう付された第３側壁形成部とよりなり、第３側壁形成部の先端部と前記傾斜面の傾斜方向上端部との間に、熱交換管の長さ方向にのびる継ぎ目部が全長にわたって存在していることがある。
【００２０】
5)外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、隣り合う熱交換管どうしの間に配置されて熱交換管にろう付されたコルゲートフィンとを備えており、熱交換管が、互いに対向する１対の平坦壁、および両平坦壁の両側縁どうしにまたがって設けられた２つの側壁を有しているとともに、少なくとも片面にろう材層を有するブレージングシートを、ろう材層が外側に来るように曲げることにより形成され、熱交換管のいずれか一方の平坦壁の外面の一側縁部に、長さ方向にのびる継ぎ目部が存在しており、熱交換管の第１側壁が両平坦壁と一体に形成され、熱交換管の第２側壁が、各平坦壁における第１側壁とは反対側の縁部に、他方の平坦壁側に突出するように一体に形成されるとともに先端部どうしがろう付された第１および第２側壁形成部と、いずれか一方の平坦壁における第１および第２側壁形成部よりも熱交換管の幅方向外側部分に一体に形成され、かつ第１および第２側壁形成部の外面にろう付されるとともに、先端部が他方の平坦壁外面の側縁部にろう付された第３側壁形成部とよりなる熱交換器を製造する方法であって、
少なくとも片面にろう材層を有するブレージングシートよりなり、２つの平坦壁形成部と、両平坦壁形成部を一体に連結しかつ第１側壁を形成する連結部と、両平坦壁形成部における連結部とは反対側の側縁に、それぞれ平坦壁形成部から隆起するように設けられた第１および第２側壁形成部と、第１平坦壁形成部における連結部とは反対側の側縁を延長することにより設けられた第３側壁形成部用延長部とを備えている熱交換管製造用板状体を、連結部の両側においてヘアピン状に折り曲げて第１および第２側壁形成部の先端部どうしを突き合わせること、
第３側壁形成部用延長部を、第１および第２側壁形成部の外面を覆うように折り曲げて第３側壁形成部をつくるとともに、第３側壁形成部の先端部を第２平坦壁形成部外面の側縁部に係合させて折り曲げ体を作ること、
折り曲げ体とフィンとを交互に配置すること、
外面にろう材層を有する材料からなり、かつ複数の管挿入穴を有する１対のヘッダタンク素材を用意し、両ヘッダタンク素材を間隔をおいて配置すること、
全折り曲げ体の両端部をヘッダタンク素材の管挿入穴に、第１〜第３側壁形成部が同じ側に来るように挿入し、ヘッダタンク素材、折り曲げ体およびフィンを仮止めして仮止め体をつくるとともに、仮止め体にフラックスを塗布すること、
折り曲げ体の幅方向が上下方向を向くとともに、折り曲げ体の第１〜第３側壁形成部が下側に来るように仮止め体を寝かせて配置し、この状態で折り曲げ体における第１側壁形成部と第２側壁形成部、第１および第２側壁形成部と第３側壁形成部、ならびに第３側壁形成部と第１平坦壁形成部とを同時にろう付することにより熱交換管を形成し、ヘッダタンク素材によりヘッダタンクを形成し、さらにヘッダタンクと熱交換管、熱交換管とフィンとを同時にろう付することを含む熱交換器の製造方法。
【００２１】
なお、上記5)の熱交換器の製造方法において、仮止め体を寝かせて配置した際に、折り曲げ体の外面における下縁部側のフラックス塗布量が、上縁部側のフラックス塗布量よりも多くなるようにすることがある。当該熱交換器の製造方法の場合、仮止め体を寝かせて配置した際に、折り曲げ体の外面における下縁部側のフラックス塗布量が、上縁部側のフラックス塗布量よりも３ｇ／ｍ２以上多くなるようにすることがある。
【発明の効果】
【００２２】
上記1)〜3)の熱交換器によれば、熱交換管が、互いに対向する１対の平坦壁、および両平坦壁の両側縁どうしにまたがって設けられた２つの側壁を有しているとともに、少なくとも片面にろう材層を有するブレージングシートを、ろう材層が外側に来るように曲げることにより形成され、熱交換管のいずれか一方の平坦壁の外面の一側縁部に、長さ方向にのびる継ぎ目部が存在しており、すべての熱交換管の継ぎ目部が、通風方向の同一側に位置しているので、上述した熱交換器の製造方法、すなわち少なくとも片面にろう材層を有するブレージングシートよりなり、２つの平坦壁形成部と、両平坦壁形成部を一体に連結しかつ第１側壁を形成する連結部と、両平坦壁形成部における連結部とは反対側の側縁に、それぞれ平坦壁形成部から隆起するように設けられた第１および第２側壁形成部と、第１平坦壁形成部における連結部とは反対側の側縁を延長することにより設けられた第３側壁形成部用延長部とを備えている熱交換管製造用板状体を、連結部の両側においてヘアピン状に折り曲げて第１および第２側壁形成部の先端部どうしを突き合わせること、第３側壁形成部用延長部を、第１および第２側壁形成部の外面を覆うように折り曲げて第３側壁形成部をつくるとともに、第３側壁形成部の先端部を第１平坦壁形成部外面の側縁部に係合させて折り曲げ体を作ること、折り曲げ体とフィンとを交互に配置すること、外面にろう材層を有する材料により複数の管挿入穴を有する１対のヘッダタンク素材を用意し、両ヘッダタンク素材を間隔をおいて配置すること、全折り曲げ体の両端部をヘッダタンク素材の管挿入穴に、第１〜第３側壁形成部が同じ側に来るように挿入し、ヘッダタンク素材、折り曲げ体およびフィンを仮止めして仮止め体をつくるとともに、仮止め体にフラックスを塗布すること、折り曲げ体の幅方向が上下方向を向くとともに、折り曲げ体の第１〜第３側壁形成部が下側に来るように仮止め体を寝かせて配置し、この状態で折り曲げ体における第１側壁形成部と第２側壁形成部、第１および第２側壁形成部と第３側壁形成部、ならびに第３側壁形成部と第１平坦壁形成部とを同時にろう付することにより熱交換管を形成し、ヘッダタンク素材によりヘッダタンクを形成し、さらにヘッダタンクと熱交換管、熱交換管とフィンとを同時にろう付することを含む熱交換器の製造方法において、全折り曲げ体の両端部をヘッダタンク素材の管挿入穴に、第１〜第３側壁形成部が同じ側に来るように挿入すること、および折り曲げ体の幅方向が上下方向を向くとともに、折り曲げ体の第１〜第３側壁形成部が下側に来るように仮止め体を寝かせて配置すると、熱交換器の製造時には、折り曲げ体外面から溶け出した溶融ろう材が重力により下方に流れ、折り曲げ体における継ぎ目部を形成する合わせ目が溶融ろう材で埋められる。したがって、熱交換器の製造時にヘッダタンク素材を形成する材料から溶け出した溶融ろう材が、毛細管現象により前記折り曲げ体における継ぎ目部を形成する合わせ目に沿って流れることが防止される。その結果、ヘッダタンク素材を形成する材料の外面を覆うろう材量を少なくすることが可能になり、材料コストが安くなって熱交換器の製造コストを低減することができるとともに��軽量化を図ることができる。
【００２３】
上記4)の熱交換器によれば、熱交換器の製造時における折り曲げ体外面から溶け出した溶融ろう材の重力による下方への流れが効果的に行われ、折り曲げ体における継ぎ目部を形成する合わせ目が確実に溶融ろう材で埋められる。
【００２４】
上記5)の熱交換器の製造方法によれば、折り曲げ体外面から溶け出した溶融ろう材が重力により下方に流れ、折り曲げ体における継ぎ目部を形成する合わせ目が溶融ろう材で埋められる。したがって、熱交換器の製造時にヘッダタンク素材を形成する材料から溶け出した溶融ろう材が、毛細管現象により前記折り曲げ体における継ぎ目部を形成する合わせ目に沿って流れることが防止される。その結果、ヘッダタンク素材を形成する材料の外面を覆うろう材量を少なくすることが可能になり、材料コストが安くなって熱交換器の製造コストを低減することができるとともに、軽量化を図ることができる。
【発明を実施するための最良の形態】
【００２５】
以下、この発明の実施形態を、図面を参照して説明する。この実施形態は、この発明による熱交換器を、フロン系冷媒を使用したカーエアコンのコンデンサに適用したものである。
【００２６】
なお、以下の説明において、図１の上下、左右を上下、左右というものとし、通風方向下流側（図１に矢印Ｘで示す方向、図２の上側）を前、これと反対側を後というものとする。但し、図６および図７に関する熱交換管の製造方法に関する説明は除く。
【００２７】
図１はこの発明による熱交換器を適用したカーエアコン用コンデンサの全体構成を示し、図２〜図５はその要部の構成を示す。また、図６および図７はコンデンサに用いられる熱交換管の製造方法を示す。
【００２８】
図１および図２において、カーエアコン用のコンデンサ(1)は、左右方向に間隔をおいて配置された上下方向にのびる１対のアルミニウム製ヘッダタンク(2)(3)と、両ヘッダタンク(2)(3)間において幅方向を通風方向に向けるとともに上下方向に間隔をおいて配置され、かつ両端部が両ヘッダタンク(2)(3)に形成された管挿入穴(2A)(3A)に挿入されて両ヘッダタンク(2)(3)にろう付された複数のアルミニウム製扁平状熱交換管(4)と、隣り合う熱交換管(4)どうしの間、および上下両端の熱交換管(4)の外側に配置されて熱交換管(4)にろう付されたアルミニウム製コルゲートフィン(5)と、上下両端のコルゲートフィン(5)の外側に配置されてコルゲートフィン(5)にろう付されたサイドプレート(6)とを備えている。
【００２９】
左側ヘッダタンク(2)は、高さ方向の中央部よりも上方において仕切部材(7)により上下２つのヘッダ部(2a)(2b)に仕切られ、右側ヘッダタンク(3)は、高さ方向の中央部よりも下方において仕切部材(7)により上下２つのヘッダ部(3a)(3b)に仕切られている。左側ヘッダタンク(2)の上ヘッダ部(2a)に流体入口(10A)が形成され、流体入口(10A)に通じる流体流入路(8a)を有する入口部材(8)が上ヘッダ部(2a)にろう付されている。また、右側ヘッダタンク(3)の下ヘッダ部(3b)に流体出口(10B)が形成され、流体出口(10B)に通じる流体流出路(9a)を有する出口部材(9)が下ヘッダ部(3b)にろう付されている。
【００３０】
左右のヘッダタンク(2)(3)は、少なくとも外面にろう材層を有するアルミニウム製パイプ、たとえば両面にろう材層を有するアルミニウムブレージングシートからなる素板が筒状に成形されるとともに両側縁部が部分的に重ね合わされて相互にろう付されたろう付パイプからなり、かつ複数の熱交換挿入穴を有するヘッダタンク本体(11)と、ヘッダタンク本体(11)の両端にろう付されてその両端開口を閉鎖するアルミニウム製閉鎖部材(12)とからなる。なお、ヘッダタンク本体(11)の詳細な図示は省略する。また、ヘッダタンク本体(11)は、外周面にろう材が溶射されたアルミニウム押出管からなるものであってもよい。
【００３１】
図３〜図５に示すように、熱交換管(4)はアルミニウム製であり、上下方向に間隔をおいて互いに対向しかつ同一肉厚である１対の平坦壁(13)(14)と、両平坦壁(13)(14)の一方の側縁どうしにまたがりかつ両平坦壁(13)(14)と一体に形成された第１側壁(15)と、両平坦壁(13)(14)の他方の側縁どうしにまたがりかつ両平坦壁(13)(14)の他方の側縁部に一体成形された複数の側壁形成部を組み合わせることにより形成された第２側壁(16)と、両側壁(15)(16)間において両平坦壁(13)(14)にまたがるとともに相互に所定間隔をおいて設けられ、かつ長さ方向に伸びる複数の補強壁(17)とよりなり、内部に並列状の複数の流体通路(18)を有するものである。なお、図示は省略したが、全ての補強壁(17)には、隣接する流体通路(18)どうしを通じさせる複数の連通穴が、全体として平面から見て千鳥配置状となるようにあけられている。
【００３２】
第２側壁(16)は、第１平坦壁(13)に一体に形成された第１側壁形成部(19)と、第２平坦壁(14)に一体に形成された第２側壁形成部(21)と、第１平坦壁(13)に一体に形成された第３側壁形成部(22)とを組み合わせてろう付することにより形成されている。
【００３３】
第１側壁形成部(19)は、第１平坦壁(13)に第２平坦壁(14)側に突出するように一体に形成されている。第２側壁形成部(21)は、第２平坦壁(14)に第１平坦壁(13)側に突出するように一体に形成され、先端が第１側壁形成部(19)の先端に突き合わされた状態で第１側壁形成部(19)にろう付されている。第１および第２側壁形成部(19)(21)の先端部どうしは相欠き状に突き合わされている。すなわち、第１平坦壁(13)の第１側壁形成部(19)の先端部は前後方向外側半部が欠き取られたような形状となっているとともに、第２平坦壁(14)の第２側壁形成部(21)の先端部は前後方向内側半部が欠き取られたような形状となっており、第１側壁形成部(19)の突出部(19a)が第２側壁形成部(21)の欠き取り部(21b)内に嵌り、第２側壁形成部(21)の突出部(21a)が第１側壁形成部(19)の欠き取り部(19b)内に嵌っている。
【００３４】
第３側壁形成部(22)は、第１側壁形成部(19)よりも前後方向外側において、第１平坦壁(13)に第２平坦壁(14)側に突出するように一体に形成されて、第１および第２側壁形成部(19)(21)の外面に沿わされており、その先端部が、第２平坦壁(14)外面の前後方向外側縁部に形成されかつ前後方向外側に向かって第１平坦壁(13)側に傾斜した傾斜面(23)に係合させられた状態で、第１および第２側壁形成部(19)(21)の外面全体、および第２平坦壁(14)の傾斜面(23)にろう付されている。そして、熱交換管(4)のコルゲートフィン(5)がろう付される一方の面には、第３側壁形成部(22)の先端部と、第２平坦壁(14)の傾斜面(23)における第１側壁(15)側端部との間に形成され、かつ熱交換管(4)の長さ方向にのびるろう付部からなる継ぎ目部(24)が全長にわたって存在している。継ぎ目部(24)は極浅い凹溝状となっている場合もある。
【００３５】
補強壁(17)は、第１平坦壁(13)より第２平坦壁(14)側に隆起するように一体成形された補強壁用凸条(25)(26)と、第２平坦壁(14)より第１平坦壁(13)側に隆起するように一体成形された補強壁用凸条(27)(28)とが、先端どうしが相互に突き合わされてろう付されることにより形成されている。第１平坦壁(13)および第２平坦壁(14)には、それぞれ肉厚の異なる２種類の補強壁用凸条(25)(26)および(27)(28)が前後方向に交互に形成されており、第１平坦壁(13)における肉厚の厚い補強壁用凸条(25)と第２平坦壁(14)における肉厚の薄い補強壁用凸条(28)とがろう付され、第１平坦壁(13)における肉厚の薄い補強壁用凸条(26)と第２平坦壁(14)における肉厚の厚い補強壁用凸条(27)とがろう付されている。以下、両平坦壁(13)(14)の肉厚の厚い補強壁用凸条(25)(27)をそれぞれ第１補強壁用凸条といい、同じく薄い補強壁用凸条(26)(28)をそれぞれ第２補強壁用凸条というものとする。両平坦壁(13)(14)の第１補強壁用凸条(25)(27)の先端面には、それぞれその長さ方向に伸びかつ他方の平坦壁(14)(13)の第２補強壁用凸条(28)(26)の先端部が嵌る凹溝(29)(31)が全長にわたって形成されている。そして、第１平坦壁(13)の第１補強壁用凸条(25)の凹溝(29)内に第２平坦壁(14)の第２補強壁用凸条(28)の先端部が、第２平坦壁(14)の第１補強壁用凸条(27)の凹溝(31)内に第１平坦壁(13)の第２補強壁用凸条(26)の先端部がそれぞれ圧入された状態で、両補強壁用凸条(25)(28)および(26)(27)がろう付されている。
【００３６】
全熱交換管(4)は、第２側壁(16)が同一側、すなわち後側に位置し、継ぎ目部(24)が通風方向の同一側、すなわち後側に位置するように配置されている。熱交換管(4)の外面には、コンデンサ(1)の製造時に用いられたろう材(33)と、フラックス残渣(34)とが、外面全体を覆うように存在している。熱交換管(4)の外面における継ぎ目部(24)が存在する後側縁部側のろう材(33)の量が、前側縁部側のろう材(33)の量よりも多くなっており、継ぎ目部(24)がろう材(33)により完全に塞がれている。また、熱交換管(4)の外面における継ぎ目部(24)が存在する後側縁部側のフラックス残渣(34)の量が、前側縁部側のフラックス残渣(34)の量よりも、好ましくは３ｇ／ｍ２以上多くなっている。なお、熱交換管(4)の外面にもろう材およびフラックス残渣は存在するが、その図示は省略する。
【００３７】
コンデンサ(1)は、以下に述べる方法で製造される。
【００３８】
まず、少なくとも外面にろう材層を有する１対の筒状アルミニウム製ヘッダタンク本体素材、閉鎖部材(12)、複数のアルミニウム製コルゲートフィン(5)、サイドプレート(6)、入口部材(8)、および出口部材(9)を用意する。ヘッダタンク本体素材には複数の管挿入穴が形成されている。
【００３９】
また、図６に示す熱交換管製造用板状体(40)を用いて、以下に述べる方法により熱交換管(4)をつくるための折り曲げ体(40A)を得る。熱交換管を製造する方法に関する図６および図７の説明において、図６および図７の上下、左右を上下左右というものとする。
【００４０】
熱交換管製造用板状体(40)は、全体が両面にろう材層を有するアルミニウムブレージングシートからなる圧延素板を圧延することにより形成されたものであり、両平坦壁(13)(14)を形成する相互に同幅および同肉厚の平らな第１平坦壁形成部(41)および第２平坦壁形成部(42)と、両平坦壁形成部(41)(42)どうしを一体に連結するとともに第１側壁(15)を形成する連結部(43)と、第１平坦壁形成部(41)および第２平坦壁形成部(42)における連結部(43)とは反対側の側縁より上方隆起状に一体成形されかつ第２側壁(16)を形成する第１および第２側壁形成部(19)(21)と、第１平坦壁形成部(41)における連結部(43)とは反対側の側縁を右方に延長することにより形成された第３側壁形成部用延長部(44)と、第１平坦壁形成部(41)および第２平坦壁形成部(42)にそれぞれ左右方向に所定間隔をおいて上方隆起状に一体成形された複数の第１および第２補強壁用凸条(25)(26)(27)(28)とを備えており、第１平坦壁形成部(41)の第１補強壁用凸条(25)と第２平坦壁形成部(42)の第２補強壁用凸条(28)、および第２平坦壁形成部(42)の第１補強壁用凸条(27)と第１平坦壁形成部(41)の第２補強壁用凸条(26)とが、それぞれ連結部(43)の前後方向の中心線に対して前後対称となる位置にある。
【００４１】
第２平坦壁形成部(42)下面における第２側壁形成部(21)側の左側縁部には、左方に向かって上方に傾斜した傾斜面(23)が形成されている。両平坦壁形成部(41)(42)の第１および第２側壁形成部(19)(21)は、それぞれ先端部に突出部(19a)(21a)および欠き取り部(19b)(21b)を有しており、第１平坦壁形成部(41)の第１側壁形成部(19)の突出部(19a)と第２平坦壁形成部(42)の第２側壁形成部(21)の欠き取り部(21b)、および第１平坦壁形成部(41)の第１側壁形成部(19)の欠き取り部(19b)と第２平坦壁形成部(42)の第２側壁形成部(21)の突出部(21a)とが、それぞれ連結部(43)の左右方向の中心線に対して線対称となる位置にある。また、第１および第２側壁形成部(19)(21)の寸法、すなわち高さ、全体の肉厚および突出部(19a)(21a)の肉厚は同一である。第１平坦壁形成部(41)の第１補強壁用凸条(25)の先端面に第２平坦壁形成部(42)の第２補強壁用凸条(28)が圧入される凹溝(29)が形成され、第２平坦壁形成部(42)の第１補強壁用凸条(27)の先端面に第１平坦壁形成部(41)の第２補強壁用凸条(26)が圧入される凹溝(31)が形成されている。第１平坦壁形成部(41)の第１補強壁用凸条(25)および第２平坦壁形成部(42)の第１補強壁用凸条(27)の寸法、すなわち高さ、肉厚、凹溝(29)(31)の幅および凹溝(29)(31)の深さは同一である。また、第１平坦壁形成部(41)の第２補強壁用凸条(26)および第２平坦壁形成部(42)の第２補強壁用凸条(28)の寸法、すなわち高さおよび肉厚は同一である。第３側壁形成部用延長部(44)の肉厚は上第２平坦壁形成部(42)(22)の肉厚と等しくなっている。
【００４２】
なお、両面にろう材層が設けられたアルミニウムブレージングシートからなる圧延素板を圧延することにより、第１平坦壁形成部(41)、第２平坦壁形成部(42)、連結部(43)、第１および第２側壁形成部(19)(21)、第３側壁形成部用延長部(44)、および補強壁用凸条(25)(26)(27)(28)が一体成形されていることにより、第２平坦壁形成部(42)の第２側壁形成部(21)の側面、および第３側壁形成部用延長部(44)の先端面を除いた全体がろう材層により覆われている。
【００４３】
そして、図７に示すように、ロールフォーミング法により、熱交換管製造用板状体(40)を連結部(43)の左右両側で順次折り曲げていき（図７(a)参照）、最後にヘアピン状に折り曲げて第１および第２側壁形成部(19)(21)の突出部(19a)(21a)と欠き取り部(21b)(19b)とを嵌め合わせるとともに、第２補強壁用凸条(26)(28)の先端部を第１補強壁用凸条(27)(25)の凹溝(31)(29)内に圧入する。
【００４４】
ついで、第３側壁形成部用延長部(44)を折り曲げていき、第１および第２側壁形成部(19)(21)の外面に沿わせるとともに、その先端部を第２平坦壁形成部(42)の傾斜面(23)に係合させて第３側壁形成部(22)をつくって折り曲げ体(40A)を得る（図７(b)参照）。ここで、折り曲げ体(40A)において、第３側壁形成部(22)の先端部と第１平坦壁形成部(41)の外面、すなわち第３側壁形成部(22)の先端部と傾斜面(23)の傾斜方向上端部との間に、折り曲げ体(40A)の長さ方向にのびる合わせ目(45)が存在している。
【００４５】
ついで、管挿入穴(2A)(3A)を有する１対のヘッダタンク本体素材を間隔をおいて配置するとともに、両ヘッダタンク本体素材の両端に閉鎖部材(12)を配置してヘッダタンク素材を用意する。また、折り曲げ体(40A)とフィン(5)とを交互に配置し、折り曲げ体(40A)の両端部をヘッダタンク素材の管挿入穴(2A)(3A)に挿入する。このとき、全折り曲げ体(40A)を、合わせ目(45)が同方向に位置するように配置する。また、両端のコルゲートフィン(5)の外側にサイドプレート(6)を配置し、さらに入口部材(8)および出口部材(9)を配置する。ついで、ヘッダタンク本体素材と閉鎖部材(12)とからなるヘッダタンク素材、折り曲げ体(40A)、コルゲートフィン(5)、サイドプレート(6)、入口部材(8)および出口部材(9)を仮止めして仮止め体をつくるとともに、仮止め体にフラックスを塗布する。ついで、折り曲げ体(40A)の第１〜第３側壁形成部(19)(21)(22)、すなわち合わせ目(45)が下側に来るように、仮止め体をろう付炉内に寝かせた状態で配置する。このとき、折り曲げ体(40A)の外面における下縁部側のフラックス塗布量が、上縁部側のフラックス塗布量よりも多くなるようにする。好ましくは折り曲げ体(40A)の外面における下縁部側のフラックス塗布量が、上縁部側のフラックス塗布量よりも３ｇ／ｍ２以上多くなるようにする。
【００４６】
その後、ろう付炉内において仮止め体を所定温度に加熱し、第１および第２側壁形成部(19)(21)の先端部どうしを相互にろう付するとともに、第３側壁形成部(22)を第１および第２側壁形成部(19)(21)の外面と第２平坦壁形成部(42)の傾斜面(23)にろう付することにより第２側壁(16)を形成する。また、上記ろう材層を利用して両補強壁用凸条(25)(28)および(26)(27)の先端部どうしをろう付することにより補強壁(17)を形成し、連結部(43)により第１側壁(15)を形成し、さらに第１平坦壁形成部(41)により第１平坦壁(13)を、第２平坦壁形成部(42)により第２平坦壁(14)をそれぞれ形成して熱交換管(4)を製造する。これと同時に、ヘッダタンク本体素材および閉鎖部材(12)からなるヘッダタンク素材によりヘッダタンク(2)(3)を製造し、熱交換管(4)とヘッダタンク(2)(3)、熱交換管(4)とコルゲートフィン(5)、コルゲートフィン(5)とサイドプレート(6)、ならびにヘッダタンク(2)(3)と入口部材(8)および出口部材(9)とを、それぞれ同時にろう付する。こうして、コンデンサ(1)が製造される。
【００４７】
上述したコンデンサ(1)の製造の際の全部品の一括ろう付時には、折り曲げ体(40A)外面から溶け出した溶融ろう材が重力により下方に流れ、折り曲げ体(40A)における継ぎ目部(24)を形成する合わせ目(45)が溶融ろう材で埋められる。したがって、コンデンサ(1)の製造時にヘッダタンク本体素材から溶け出した溶融ろう材が、毛細管現象により合わせ目(45)に沿って流れることが防止される。その結果、ヘッダタンク(2)(3)を形成する材料の外面を覆うろう材量を少なくすることが可能になり、材料コストが安くなってコンデンサ(1)の製造コストを低減することができるとともに、コンデンサ(1)の軽量化を図ることができる。
【図面の簡単な説明】
【００４８】
【図１】この発明の熱交換器を適用したコンデンサの実施形態を示す全体斜視図である。
【図２】図１の一部を省略したＡ−Ａ線拡大断面図である。
【図３】図２のＢ−Ｂ線拡大断面図である。
【図４】図３の部分拡大図である。
【図５】図１のコンデンサの熱交換管の一部を拡大して示す横断面図である。
【図６】図１のコンデンサの熱交換管を製造するのに使用される熱交換管製造用板状体の正面図である。
【図７】図１のコンデンサの熱交換管を製造する工程の一部を示す図である。
【符号の説明】
【００４９】
(1)：コンデンサ（熱交換器）
(2)(3)：ヘッダタンク
(4)：熱交換管
(5)：コルゲートフィン
(13)：第１平坦壁
(14)：第２平坦壁
(15)：第１側壁
(16)：第２側壁
(19)：第１側壁形成部
(21)：第２側壁形成部
(22)：第３側壁形成部
(23)：傾斜面
(24)：継ぎ目部
(33)：ろう材
(34)：フラックス残渣
(40)：熱交換管製造用板状体
(40A)：折り曲げ体
(41)：第１平坦壁形成部
(42)：第２平坦壁形成部
(43)：連結部
(44)：第３側壁形成部用延長部
【図１】
2009162394.tif 000003
【図２】
2009162394.tif 000004
【図３】
2009162394.tif 000005
【図４】
2009162394.tif 000006
【図５】
2009162394.tif 000007
【図６】
2009162394.tif 000008
【図７】
2009162394.tif 000009